(57)【特許請求の範囲】
【請求項１】
ＬＥＤ素子の発光により、国際照明委員会が定めるｘｙ色度図上の、点（０．４９９，０．３８２）を中心とするマグアダム楕円５−ｓｔｅｐで表される等色範囲の属する色の照明色の照明光を出射する第１照明モードと、
点Ｂ（０．４１９，０．３４３）を通る等色温度線及び黒体輻射軌跡に対する等偏差線と、点Ｃ（０．４１８，０．３９０）を通る黒体輻射軌跡に対する等偏差線と、点Ｄ（０．３９７，０．３７０）を通る等色温度線と、点Ｃと点Ｄとを結ぶ直線とによって囲まれる第２領域内の黄赤色と黄みの白色との間の照明色またはオレンジピンク色とうすいピンク色との間の照明色の照明光を出射する第２照明モードと、
を備え、第１照明モード及び第２照明モードを選択可能な操作部を設けたことを特徴とする照明装置。
【請求項２】
第１照明モードの照明色がｘｙ色度図上の点（０．４９９，０．３８２）を中心とするマグアダム楕円１−ｓｔｅｐで表される等色範囲の属する色であることを特徴とする請求項１に記載の照明装置。
【請求項３】
第２照明モードの照明色がｘｙ色度図上の点（０．４１６，０．３７７）を中心とするマグアダム楕円５−ｓｔｅｐで表される等色範囲の属する色であることを特徴とする請求項１または請求項２に記載の照明装置。
【請求項４】
第２照明モードの照明色がｘｙ色度図上の点（０．４１６，０．３７７）を中心とするマグアダム楕円１−ｓｔｅｐで表される等色範囲の属する色であることを特徴とする請求項１または請求項２に記載の照明装置。
【請求項５】
昼光色、昼白色または白色の照明光を出射する寒色照明モードを備えたことを特徴とする請求項１〜請求項４のいずれかに記載の照明装置。
【請求項６】
前記操作部が第１照明モードを選択する第１操作スイッチと、第２照明モードを選択する第２操作スイッチと、前記寒色照明モードの照明色を実現するスイッチと、を有することを特徴とする請求項５に記載の照明装置。
【請求項７】
照明色を第１領域及び第２領域内で可変にするとともに、前記操作部が第１領域及び第２領域内の色に照明色を可変する可変スイッチと、前記寒色照明モードの照明色を実現するスイッチと、を有することを特徴とする請求項５に記載の照明装置。
【請求項８】
照明色の異なる第１照明モード及び第２照明モードのみを備え、前記操作部が第１照明モードを選択する第１操作スイッチと、第２照明モードを選択する第２操作スイッチとを有することを特徴とする請求項１〜請求項４のいずれかに記載の照明装置。
【請求項９】
照明色の異なる第１照明モード及び第２照明モードのみを備え、照明色を第１領域及び第２領域内で可変にするとともに、前記操作部が照明色を可変する可変スイッチを有することを特徴とする請求項１〜請求項４のいずれかに記載の照明装置。
【請求項１０】
前記ＬＥＤ素子を複数有し、各前記ＬＥＤ素子が異なる色で発光することを特徴とする請求項１〜請求項９のいずれかに記載の照明装置。
【請求項１１】
電球色を発光する前記ＬＥＤ素子と、赤色を発光する前記ＬＥＤ素子と、白色を発光する前記ＬＥＤ素子とを備えたことを特徴とする請求項１０に記載の照明装置。
【請求項１２】
前記ＬＥＤ素子の出射光を異なる波長に変換する蛍光体を備えたことを特徴とする請求項１０または請求項１１に記載の照明装置。
【請求項１３】
青色を発光する前記ＬＥＤ素子と、青色光を電球色の光に変換する前記蛍光体と、青色光を赤色光に変換する前記蛍光体と、青色光を黄色光に変換する前記蛍光体とを備えたことを特徴とする請求項１２に記載の照明装置。
【発明の詳細な説明】
【技術分野】
【０００１】
本発明は居室内の照明に用いられる照明装置に関する。
【背景技術】
【０００２】
従来の照明装置は特許文献１、２に開示されている。特許文献１の照明装置は浴槽内の水中を予め設定された変化パターンで光色を変化させて照明する。これにより、入浴時のリラックス感を高めることができる。
【０００３】
また、特許文献２の照明装置は太陽光の光量に応じて照度を変化させて照明する。これにより、生体リズムの調整ができるとともに、覚醒度の維持をし易くできる。
【先行技術文献】
【特許文献】
【０００４】
【特許文献１】特開２００８−５３１８３号公報
【特許文献２】特開平０９−３０６６７２号公報
【発明の概要】
【発明が解決しようとする課題】
【０００５】
しかしながら、上記従来の照明装置は良質な睡眠の環境作りに貢献するものではなく、いずれの照明下であってもユーザは良質な睡眠が得られない問題があった。また、いずれの照明下であってもユーザが行う作業の作業能率を高めることができず、作業能率が低い問題もあった。
【０００６】
本発明は、睡眠効率及び作業能率を向上できる照明装置を提供することを目的とする。
【課題を解決するための手段】
【０００７】
上記目的を達成するために本発明は、ＬＥＤ素子の発光により、国際照明委員会が定めるｘｙ色度図上の、点Ａ（０．５５５，０．３９４）を通る等色温度線及び黒体輻射軌跡に対する等偏差線と、点Ｂ（０．４１９，０．３４３）を通る等色温度線及び黒体輻射軌跡に対する等偏差線とによって囲まれる第１領域内の照明色の照明光を出射する第１照明モードと、
点Ｂを通る等色温度線及び黒体輻射軌跡に対する等偏差線と、点Ｃ（０．４１８，０．３９０）を通る黒体輻射軌跡に対する等偏差線と、点Ｄ（０．３９７，０．３７０）を通る等色温度線と、点Ｃと点Ｄとを結ぶ直線とによって囲まれる第２領域内の照明色の照明光を出射する第２照明モードと、
を備え、第１照明モード及び第２照明モードを選択可能な操作部を設けたことを特徴としている。
【０００８】
この構成によると、ＬＥＤ素子の発光によって第１照明モードまたは第２照明モードによる照明が行われる。第１照明モードによって黄赤色の照明色またはオレンジピンク色の照明色の照明光が出射される。これにより、居室内のユーザのメラトニン分泌を妨げず、副交感神経を優位にする。従って、就寝時の入眠潜時を短縮して睡眠効率が向上するとともに、休憩時等に寛ぎと癒やしをもたらして蓄積された疲労感が軽減される。
【０００９】
また、第２照明モードによって黄赤色と黄みの白色との間の照明色またはオレンジピンク色とうすいピンク色との間の照明色の照明光が出射される。これにより、業務や家事等の作業負荷による交感神経系の昂進を抑制して作業時の疲労感が低減され、作業能率が向上される。
【００１０】
また本発明は、上記構成の照明装置において、第１照明モードの照明色がｘｙ色度図上の点（０．４９９，０．３８２）を中心とするマグアダム楕円５−ｓｔｅｐで表される等色範囲の属する色であることを特徴としている。
【００１１】
また本発明は、上記構成の照明装置において、第１照明モードの照明色がｘｙ色度図上の点（０．４９９，０．３８２）を中心とするマグアダム楕円１−ｓｔｅｐで表される等色範囲の属する色であることを特徴としている。
【００１２】
また本発明は、上記構成の照明装置において、第２照明モードの照明色がｘｙ色度図上の点（０．４１６，０．３７７）を中心とするマグアダム楕円５−ｓｔｅｐで表される等色範囲の属する色であることを特徴としている。
【００１３】
また本発明は、上記構成の照明装置において、第２照明モードの照明色がｘｙ色度図上の点（０．４１６，０．３７７）を中心とするマグアダム楕円１−ｓｔｅｐで表される等色範囲の属する色であることを特徴としている。
【００１４】
また本発明は、上記構成の照明装置において、昼光色、昼白色または白色の照明光を出射する寒色照明モードを備えたことを特徴としている。この構成によると、所定の操作によって寒色照明モードが行われ、昼光色、昼白色または白色の照明光が出射される。
【００１５】
また本発明は、上記構成の照明装置において、電球色または温白色の照明光を出射する暖色照明モードを備えたことを特徴としている。この構成によると、所定の操作によって暖色照明モードが行われ、電球色または温白色の照明光が出射される。
【００１６】
また本発明は、上記構成の照明装置において、前記寒色照明モードと前記暖色照明モードとの間の色に照明色を可変にするとともに、前記操作部が第１照明モードを選択する第１操作スイッチと、第２照明モードを選択する第２操作スイッチと、前記寒色照明モードと前記暖色照明モードとの間の色に照明色を段階的に可変する可変スイッチとを有することを特徴としている。
【００１７】
この構成によると、操作部の第１操作スイッチが操作されると第１照明モードによる照明が行われ、第２操作スイッチが操作されると第２照明モードによる照明が行われる。可変スイッチが操作されると、寒色照明モードの照明色から暖色照明モードの照明色に段階的に可変して照明が行われる。
【００１８】
また本発明は、上記構成の照明装置において、前記寒色照明モードと前記暖色照明モードとの間の色に照明色を可変にするとともに、第１領域及び第２領域内で照明色を可変にし、前記操作部が第１領域及び第２領域内の色に照明色を可変する第１可変スイッチと、前記寒色照明モードと前記暖色照明モードとの間の色に照明色を可変する第２可変スイッチとを有することを特徴としている。
【００１９】
この構成によると、第１領域と第２領域とはｘｙ色度図上で連続する。第１可変スイッチの操作によって第１領域の照明色から第２領域の照明色に段階的に可変して第１照明モード及び第２照明モードが行われる。第２可変スイッチが操作されると、寒色照明モードの照明色から暖色照明モードの照明色に段階的に可変して照明が行われる。
【００２０】
また本発明は、上記構成の照明装置において、電球色または温白色の照明光を出射する暖色照明モードを備えたことを特徴としている。
【００２１】
また本発明は、上記構成の照明装置において、照明色の異なる第１照明モード及び第２照明モードのみを備え、前記操作部が第１照明モードを選択する第１操作スイッチと、第２照明モードを選択する第２操作スイッチとを有することを特徴としている。この構成によると、操作部の第１操作スイッチが操作されると第１照明モードによる照明が行われ、第２操作スイッチが操作されると第２照明モードによる照明が行われる。
【００２２】
また本発明は、上記構成の照明装置において、照明色の異なる第１照明モード及び第２照明モードのみを備え、照明色を第１領域及び第２領域内で可変にするとともに、前記操作部が照明色を段階的に可変する可変スイッチを有することを特徴としている。この構成によると、第１領域と第２領域とはｘｙ色度図上で連続する。可変スイッチの操作によって第１領域の照明色から第２領域の照明色に段階的に可変して第１照明モード及び第２照明モードが行われる。
【００２３】
また本発明は、上記構成の照明装置において、前記ＬＥＤ素子を複数有し、各前記ＬＥＤ素子が異なる色で発光することを特徴としている。この構成によると、複数のＬＥＤ素子が異なる色で発光して混色され、各照明モードの照明光が出射される。
【００２４】
また本発明は、上記構成の照明装置において、電球色を発光する前記ＬＥＤ素子と、赤色を発光する前記ＬＥＤ素子と、白色を発光する前記ＬＥＤ素子とを備えたことを特徴としている。この構成によると、複数のＬＥＤ素子から出射される電球色と赤色と白色とを混色して各照明モードの照明光が出射される。
【００２５】
また本発明は、上記構成の照明装置において、前記ＬＥＤ素子の出射光を異なる波長に変換する蛍光体を備えたことを特徴としている。この構成によると、ＬＥＤ素子の出射光と蛍光体による蛍光とが混色され、各照明モードの照明光が出射される。
【００２６】
また本発明は、上記構成の照明装置において、青色を発光する前記ＬＥＤ素子と、青色光を電球色の光に変換する前記蛍光体と、青色光を赤色光に変換する前記蛍光体と、青色光を黄色光に変換する前記蛍光体とを備えたことを特徴としている。
【００２７】
この構成によると、ＬＥＤ素子の出射光と蛍光体による黄色の蛍光とが混色して白色光が形成される。該白色光と蛍光体による赤色の蛍光と蛍光体による電球色の蛍光とが混色して各照明モードの照明光が出射される。
【発明の効果】
【００２８】
本発明によると、ｘｙ色度図上の点Ａ（０．５５５，０．３９４）を通る等色温度線及び黒体輻射軌跡に対する等偏差線と、点Ｂ（０．４１９，０．３４３）を通る等色温度線及び黒体輻射軌跡に対する等偏差線とによって囲まれる第１領域内の照明色の照明光を出射する第１照明モードと、点Ｂを通る等色温度線及び黒体輻射軌跡に対する等偏差線と、点Ｃ（０．４１８，０．３９０）を通る黒体輻射軌跡に対する等偏差線と、点Ｄ（０．３９７，０．３７０）を通る等色温度線と、点Ｃと点Ｄとを結ぶ直線とによって囲まれる第２領域内の照明色の照明光を出射する第２照明モードとをＬＥＤ素子の発光によって行う。
【００２９】
このため、第１照明モードによって入眠潜時の短縮や睡眠効率の向上など良質な睡眠が得られるとともに蓄積された疲労感を軽減することができる。また、第２照明モードによってユーザが行う作業の作業能率を向上することができる。加えて、ＬＥＤ素子の発光により第１領域及び第２領域の照明色の照明光を出射するため、人体に対して化学的な悪影響を与える紫外線や熱的な悪影響を与える赤外線を含まずに照明を行うことができる。
【図面の簡単な説明】
【００３０】
【図１】本発明の第１実施形態の照明装置を示す斜視図
【図２】本発明の第１実施形態の照明装置の光源基板を示す平面図
【図３】本発明の第１実施形態の照明装置の構成を示すブロック図
【図４】本発明の第１実施形態の照明装置のＬＥＤ素子発光機構の構成を示す説明図
【図５】本発明の第１実施形態の照明装置の照明色を示すｘｙ色度図
【図６】本発明の第１実施形態の照明装置のリモートコントローラを示す正面図
【図７】本発明の第２実施形態の照明装置のリモートコントローラを示す正面図
【図８】本発明の第３実施形態の照明装置のリモートコントローラを示す正面図
【図９】本発明の各実施例及び各比較例の照明装置の照明色を示すｘｙ色度図
【発明を実施するための形態】
【００３１】
以下、本発明の実施形態を図面を参照して説明する。図１は第１実施形態の照明装置を下方から見た全体斜視図である。照明装置１００は照明器具であるシーリングライトを構成し、室内の天井面に取り付けられる。照明装置１００が室内の側壁に取り付けられる照明器具であってもよい。
【００３２】
照明装置１００は上方に位置する室内天井面に固定される円形をなす略板状の本体１と、リモートコントローラ５０（図６参照）とを備え、下方の室内床面を照明する。本体１は光源基板２と、反射板３と、フレーム４と、照明制御部５とを備えている。
【００３３】
光源基板２は平面視矩形に形成され、本体１に対して垂直または略垂直に起立した状態でフレーム４を介して本体１の下面に取り付けられている。光源基板２の表面には複数の白色ＬＥＤ素子６ａ、電球色ＬＥＤ素子６ｂ及び赤色ＬＥＤ素子６ｃ（図２参照）が設けられている。以下の説明において、白色ＬＥＤ素子６ａ、電球色ＬＥＤ素子６ｂ及び赤色ＬＥＤ素子６ｃを総称してＬＥＤ素子６という場合がある。
【００３４】
反射板３は本体１の下面であって、光源基板２の径方向外側部分に設けられている。反射板３はＬＥＤ素子６が出射した光を床面方向に向かって反射させ、その反射光が床面を照射する。これにより、床面全体の照度が得られる。
【００３５】
フレーム４は本体１の上下に延びる中心軸線を中心とする正多角形（例えば図１では正八角形）または略正多角形をなしている。このフレーム４の正八角形の各辺に、ＬＥＤ素子６の光の出射方向が径方向外側を向くように光源基板２が取り付けられている。ＬＥＤ素子６は本体１の中心に対して放射状に径方向外側に向かって光を出射し、その光が反射板３に反射される。
【００３６】
照明制御部５は電源回路（図３参照）等を含む制御基板（不図示）を有し、フレーム４の径方向内側に配置されている。照明制御部５は本体１の径方向中心部に設けられた図示しない電源コネクタに接続され、この電源コネクタを介して外部電源から電力の供給を受ける。そして、照明制御部５はその電力をＬＥＤ素子６に供給してＬＥＤ素子６を発光させる。
【００３７】
なお、説明の便宜上図示していないが、拡散レンズやカバーを設けてもよい。拡散レンズは光源基板２の発光面の前面に取り付けられ、ＬＥＤ素子６が出射する光を均一に拡散させる。カバーは本体１の外径と略同径の円形をなし、本体１の周縁部に嵌合して保持されて本体１の下面全域を覆っている。カバーはＬＥＤ素子６が出射する光をさらに拡散させるとともに、人がその光を直視することを回避している。
【００３８】
このようにして、照明装置１００はＬＥＤ素子６が直接床面を照射しないので、人が天井方向を向いて照明を直視した場合でもＬＥＤ素子６の光が人の目に直接差し込み難く、目の負担を抑えることができる。
【００３９】
図２は光源基板２の平面図を示している。光源基板２にはそれぞれ複数の白色ＬＥＤ素子６ａ、電球色ＬＥＤ素子６ｂ及び赤色ＬＥＤ素子６ｃが例えば略横一列に並べて配置されている。本実施形態では９個の白色ＬＥＤ素子６ａと４個の電球色ＬＥＤ素子６ｂと３個の赤色ＬＥＤ素子６ｃとが光源基板２に実装される。
【００４０】
ＬＥＤ素子６の配置や間隔等は反射板３への発光の均一性に影響を及ぼす。反射板３への発光が不均一になる場合、照度ムラなどが生じて照明装置１００の照明品質が低下することになる。特に、各ＬＥＤ素子６が異なる色で発光してその組み合わせで調色を行う場合、照度の不均一さが色ムラの原因となり照明装置１００の照明品質に大きく影響する。そのため、異なる色で発光する複数のＬＥＤ素子６を用いる場合、特にその配置や間隔が重要となる。
【００４１】
白色ＬＥＤ素子６ｃは白色光を発光する。電球色ＬＥＤ素子６ｂは電球色で発光する。より詳しくは電球色ＬＥＤ素子６ｂは国際照明委員会が定めるｘｙ色度図上の点（０．４４５，０．４０８）を中心とするマグアダム楕円５−ｓｔｅｐで表される等色範囲の属する色で発光する。赤色ＬＥＤ素子６ｃは赤色で発光する。より詳しくは赤色ＬＥＤ素子６ｃは波長の極大値が５７５ｎｍ〜７８０ｎｍである色で発光する。
【００４２】
ここで、電球色ＬＥＤ素子６ｂの色は上記のようにｘｙ色度図上の点（０．４４５，０．４０８）を中心とするマグアダム楕円５−ｓｔｅｐで表される等色範囲の属する色であってある程度のばらつきがある。また、赤色ＬＥＤ素子６ｃの色も上記のように波長の極大値が５７５ｎｍ〜７８０ｎｍであってある程度の範囲がある。
【００４３】
このため、図２に示したように複数の白色ＬＥＤ素子６ａ、複数の電球色ＬＥＤ素子６ｂ及び複数の赤色ＬＥＤ素子６ｃを光源基板２に実装して発色のばらつきを抑えることができる。尚、色の異なる複数のＬＥＤ素子を１つのＬＥＤ素子として構成してもよい。
【００４４】
続いて、照明装置１００の制御に係る詳細な構成について、図２に加えて図３及び図４を用いて説明する。図３は照明装置１の構成を示すブロック図、図４は照明装置１のＬＥＤ素子発光機構の構成を示す説明図である。
【００４５】
照明制御部５は、図３に示すように電源回路１０を備えている。電源回路１０は交流電源（ＡＣ入力、１００Ｖ）から電力の供給を受けて直流電圧に変換し、照明装置１００の各部に電力を供給する。なお、本実施形態において、電源回路１０は一例として制御電源供給回路１４及び光源基板２に電力を供給しているように示しているが、特にこれに限らず他の部位に対しても必要な電力が供給されるものとする。
【００４６】
照明制御部５は電源回路１０に加えて、ＣＰＵ（Central Processing Unit）１１と、メモリ１２と、ＰＷＭ（Pulse Width Modulation）制御回路１３と、制御電源供給回路１４と、入力部１５とを備えている。一例としてＣＰＵ１１、メモリ１２及びＰＷＭ制御回路１３はマイクロコンピュータによって構成される。
【００４７】
ＣＰＵ１１は各部と接続されるとともに、照明装置１００全体を制御するために必要な動作を指示する。ＣＰＵ１１はリモートコントローラ５０（図６参照）等のスイッチと無線または有線にて接続され、入力部１５にて当該スイッチの操作に応答した指示入力を受け付ける。
【００４８】
メモリ１２は照明装置１００を制御するための各種プログラム及び初期値等が格納されるとともに、ＣＰＵ１１のワーキングメモリとしても用いられる。ＰＷＭ制御回路１３はＣＰＵ１１からの指示に従ってＬＥＤ素子６を駆動するために必要なＰＷＭパルスを生成する。制御電源供給回路１４は電源回路１０から供給される電力の電圧をＣＰＵ１１に供給するために調整する。
【００４９】
光源基板２には前述のように白色ＬＥＤ素子６ａと電球色ＬＥＤ素子６ｂと赤色ＬＥＤ素子６ｃとの３種類のＬＥＤ素子６が配置されるとともに、各ＬＥＤ素子６を駆動するためのＦＥＴ（Field Effect Transistor）スイッチ２１、２２、２３が配置されている。
【００５０】
なお、説明の便宜上、図３には白色ＬＥＤ素子６ａと電球色ＬＥＤ素子６ｂと赤色ＬＥＤ素子６ｃとをそれぞれ１つずつ描画しているが、図２のように白色ＬＥＤ素子６ａと電球色ＬＥＤ素子６ｂと赤色ＬＥＤ素子６ｃはそれぞれ複数設けられる。また、ＦＥＴスイッチ２１、２２、２３はＰＷＭ制御回路１３にあってもよい。
【００５１】
次に、ＬＥＤ素子６の発光機構の詳細について説明する。ＣＰＵ１１はＰＷＭ制御回路１３に指示し、白色ＬＥＤ素子６ａと電球色ＬＥＤ素子６ｂと赤色ＬＥＤ素子６ｃとの少なくとも１種類を発光させるためのＰＷＭパルスＭ１、Ｍ２、Ｍ３を生成して出力する。
【００５２】
白色ＬＥＤ素子６ａ、電球色ＬＥＤ素子６ｂ及び赤色ＬＥＤ素子６ｃは電源回路１０から必要な電力の供給を受ける。白色ＬＥＤ素子６ａ、電球色ＬＥＤ素子６ｂ及び赤色ＬＥＤ素子６ｃと接地電圧ＧＮＤとの間にはＦＥＴスイッチ２１、２２、２３がそれぞれ設けられている。
【００５３】
ＰＷＭパルスＭ１、Ｍ２、Ｍ３に応答してＦＥＴ２１、２２、２３が導通、非導通となることにより白色ＬＥＤ素子６ａ、電球色ＬＥＤ素子６ｂ、赤色ＬＥＤ素子６ｃに電流が供給、遮断される。白色ＬＥＤ素子６ａ、電球色ＬＥＤ素子６ｂ、赤色ＬＥＤ素子６ｃに電流が供給されると、これらＬＥＤ素子６はそれぞれ発光する。尚、白色ＬＥＤ素子６ａ、電球色ＬＥＤ素子６ｂ、赤色ＬＥＤ素子６ｃを発光させる構成について説明したが、他のＬＥＤ素子がさらに複数個設けられている場合についても同様である。
【００５４】
上記発光機構によって各ＬＥＤ素子６がリモートコントローラ５０（図６参照）の操作に応じた光量で発光し、複数の照明色の照明光が出射される。照明装置１００は第１照明モード、第２照明モード、寒色照明モード及び暖色照明モードを備えている。また、寒色照明モードと暖色照明モードとの間の色に照明色を可変できるようになっている。
【００５５】
図５は国際照明委員会が定めるｘｙ色度図の黒体輻射軌跡Ｖ０近傍の詳細図を示している。同図には等色温度線群及び黒体輻射軌跡Ｖ０に対する等偏差線群を重ねて記述している。第１照明モードはｘｙ色度図上の、点Ａ（０．５５５，０．３９４）を通る等色温度線Ｗ１及び黒体輻射軌跡Ｖ０に対する等偏差線Ｖ１と、点Ｂ（０．４１９，０．３４３）を通る等色温度線Ｗ２及び黒体輻射軌跡Ｖ０に対する等偏差線Ｖ２とによって囲まれる第１領域Ｓ１内の照明色の照明光を出射する。
【００５６】
点Ａは相関色温度が１６８０Ｋであり、黒体輻射軌跡Ｖ０に対する偏差Δｕｖ＝−０．００３の点を示している。点Ｂは相関色温度が２７５０Ｋであり、黒体輻射軌跡Ｖ０に対する偏差Δｕｖ＝−０．０２５の点を示している。尚、等色温度線Ｗ１と等偏差線Ｖ２との交点Ｅの色度座標は（０．５１０，０．３４０）であり、等色温度線Ｗ２と等偏差線Ｖ１との交点Ｆの色度座標は（０．４５３，０．４０１）である。従って、第１領域Ｓ１は図中、時計回りに点Ａ、点Ｅ、点Ｂ、点Ｆにより囲まれる。
【００５７】
第２照明モードはｘｙ色度図上の、点Ｂを通る等色温度線Ｗ２及び等偏差線Ｖ２と、点Ｃ（０．４１８，０．３９０）を通る等偏差線Ｖ１と、点Ｄ（０．３９７，０．３７０）を通る等色温度線Ｗ３と、点Ｃと点Ｄとを結ぶ直線とによって囲まれる第２領域Ｓ２内の照明色の照明光を出射する。
【００５８】
点Ｃは相関色温度が３２５０Ｋであり、黒体輻射軌跡Ｖ０に対する偏差Δｕｖ＝−０．００３の点を示している。点Ｄは相関色温度が３５００Ｋであり、黒体輻射軌跡Ｖ０に対する偏差Δｕｖ＝−０．００８の点を示している。尚、等色温度線Ｗ３と等偏差線Ｖ２との交点Ｇの色度座標は（０．３８３，０．３２９）である。従って、第２領域Ｓ２は図中、時計回りに点Ｆ、点Ｂ、点Ｇ、点Ｄ、点Ｃにより囲まれ、第１領域Ｓ１に連続する。
【００５９】
第１領域Ｓ１は黄赤色またはオレンジピンク色となる。このため、第１照明モードによって黄赤色の照明色またはオレンジピンク色の照明色の照明光が出射される。これにより、居室内のユーザのメラトニン分泌を妨げず、副交感神経を優位にすることができる。その結果、就寝時の入眠潜時を短縮して総睡眠時間が延長され、睡眠効率を向上することができる。また、休憩時や団欒時に寛ぎと癒やしをもたらして蓄積された疲労感を軽減することができる。
【００６０】
第２領域Ｓ２は黄赤色と黄みの白色との間の色またはオレンジピンク色とうすいピンク色との間の色となる。このため、第２照明モードによって黄赤色と黄みの白色との間の照明色またはオレンジピンク色とうすいピンク色との間の照明色の照明光が出射される。これにより、業務や家事等の作業負荷による交感神経系の昂進を抑制して作業時の疲労感が低減される。その結果、長時間の作業時の作業能率の低下を抑制し、作業能率を向上することができる。
【００６１】
寒色照明モードは従来から用いられる昼光色、昼白色または白色（狭義）の照明色の照明光を出射する。暖色照明モードは従来から用いられる電球色または温白色の照明色の照明光を出射する。
【００６２】
尚、「黄赤色」、「オレンジピンク色」、「黄みの白色」、「うすいピンク色」、「昼光色」、「昼白色」、「狭義の白色」、「電球色」、「温白色」はＪＩＳ規格（ＪＩＳ  Ｚ  ８１１０）で規定される光源色に相当する。
【００６３】
図６はリモートコントローラ５０の正面図を示している。リモートコントローラ５０は表示部５１及び操作部５２を備えている。表示部５１は液晶パネル等により形成され、照明装置１００の光量等を表示する。操作部５２は複数の操作キーから成り、点灯キー５３、消灯キー５４、十字キー５５、第１照明モードキー５６及び第２照明モードキー５７を有している。
【００６４】
点灯キー５３の操作によりＬＥＤ素子６に通電して照明装置１００が点灯する。消灯キー５４の操作によりＬＥＤ素子６の通電を遮断して照明装置１００が消灯する。
【００６５】
十字キー５５（可変スイッチ）は寒色部５５ａ、暖色部５５ｂ、増光部５５ｃ、減光部５５ｄを有している。寒色部５５ａ及び暖色部５５ｂの操作によって寒色照明モードの照明色と暖色照明モードの照明色との間で段階的に照明色が可変される。照明色の可変は白色ＬＥＤ素子６ａ及び電球色ＬＥＤ素子６ｂの光量比の増減によって容易に実現することができる。
【００６６】
増光部５５ｃは十字キー５５上に「明るく」と記され、照明光の光量を増加させる。減光部５５ｄは十字キー５５上に「暗く」と記され、照明光の光量を減少させる。
【００６７】
第１照明モードキー５６（第１操作スイッチ）は第１照明モードによる照明を行う。本実施形態では第１照明モードをオレンジピンク色の照明色としており、第１照明モードキー５６上には「色１」と記される。第１照明モードをオレンジピンク色以外の照明色にした場合など、場合に応じて他の名称を第１照明モードキー５６上に記してもよい。
【００６８】
第２照明モードキー５７（第２操作スイッチ）は第２照明モードによる照明を行う。本実施形態では第２照明モードをうすいピンク色の照明色としているため、第２照明モードキー５７上に「色２」と記される。第２照明モードをうすいピンク色以外の間の照明色にした場合など、場合に応じて他の名称を第２照明モードキー５７上に記してもよい。
【００６９】
上記構成の照明装置１００において、リモートコントローラ５０によって所望の照明モードが選択される。これにより、ＣＰＵ１１は白色ＬＥＤ素子６ａ、電球色ＬＥＤ素子６ｂ、赤色ＬＥＤ素子６ｃが予め規定された強度で発光するようにＰＷＭ制御回路１３に指示する。ＰＷＭ制御回路１３はＣＰＵ１１の指示によりＰＷＭパルスＭ１、Ｍ２、Ｍ３を出力させ、各照明モードに応じた照明色となるよう調色する。
【００７０】
本実施形態によると、ＬＥＤ素子６の発光により、ｘｙ色度図上の点Ａ（０．５５５，０．３９４）を通る等色温度線Ｗ１及び等偏差線Ｖ１と、点Ｂ（０．４１９，０．３４３）を通る等色温度線Ｗ２及び等偏差線Ｖ２とによって囲まれる第１領域Ｓ１内の照明色の照明光を出射する第１照明モードを備える。また、点Ｂを通る等色温度線Ｗ２及び等偏差線Ｖ２と、点Ｃ（０．４１８，０．３９０）を通る等偏差線Ｖ１と、点Ｄ（０．３９７，０．３７０）を通る等色温度線Ｗ３と、点Ｃと点Ｄとを結ぶ直線とによって囲まれる第２領域Ｓ２内の照明色の照明光を出射する第２照明モードを備える。尚、第１照明モード及び第２照明モードの照明光の光量の増加、減少の操作については、十字キー５５の増光部５５ｃ及び減光部５５ｄにより行うことができる。
【００７１】
このため、第１照明モードによって睡眠効率を向上するとともに蓄積された疲労感を軽減することができる。また、第２照明モードによってユーザが行う作業の作業能率を向上することができる。
【００７２】
また、一般的に蛍光灯は紫外線が漏洩する虞があり、白熱電球は赤外線を多く放射しているとされている。生体や室内設備などに対して、紫外線は化学的な悪影響を与え、赤外線は熱的な悪影響を与える可能性がある。しかし、紫外線や赤外線を殆ど含まないＬＥＤ素子６の発光により照明するため、人体に対して悪影響の少ない照明装置１００を提供することができる。
【００７３】
また、昼光色、昼白色または白色の照明光を出射する寒色照明モードを備えたので、従来の照明色による照明を行うことができる。
【００７４】
また、電球色または温白色の照明光を出射する暖色照明モードを備えたので、従来の照明色による照明を行うことができる。
【００７５】
また、操作部５２が第１照明モードを選択する第１照明モードキー５６（第１操作スイッチ）と、第２照明モードを選択する第２照明モードキー５７（第２操作スイッチ）と、寒色照明モードと暖色照明モードとの間の色に照明色を段階的に可変する十字キー５５（可変スイッチ）とを有する。これにより、ユーザの嗜好に応じて寒色と暖色との間の所望の照明色に容易に可変することができる。また、ユーザの状態に応じて第１照明モード及び第２照明モードを容易に選択して睡眠効率や作業能率を向上することができる。
【００７６】
また、第１照明モード及び第２照明モードに切り替えるスイッチを明示的に第１照明モードキー５６及び第２照明モードキー５７の２つのみとしている。そして、第１領域Ｓ１内及び第２領域Ｓ２内の各々について最も効果が大きく期待できる照明色をそれぞれ第１照明モードキー５６及び第２照明モードキー５７に初期値として設定（メモリ１２の初期値としてあらかじめ登録）する。これにより、ユーザが容易かつ迅速に好適な第１照明モードまたは第２照明モードの照明色を選択することができる。
【００７７】
また、第１照明モードキー５６及び第２照明モードキー５７について、各々の照明色により好適な明るさ（照明光の光量）を初期値として設定（メモリ１２の初期値としてあらかじめ登録）してもよい。これにより、第１照明モードまたは第２照明モード利用時の明るさについてもユーザが容易かつ迅速に選択することができる。従って、ユーザの利便性をより向上するとともに照明色による効果をより好適に得ることができる。
【００７８】
また、このようにキー操作を容易かつ迅速に行うことができることで、キー操作そのものによるわずらわしさ、ストレス感などを極力避けることができる。従って、第１照明モードにより期待される睡眠への効果や、第２照明モードにより期待される作業への効果を妨げることが無くなる。
【００７９】
また、異なる色で発色する白色ＬＥＤ素子６ａ、電球色ＬＥＤ素子６ｂ、赤色ＬＥＤ素子６ｃを有するので、第１照明モード、第２照明モード、寒色照モード及び暖色照明モードの各照明色の照明光を容易に出射させることができる。
【００８０】
次に、図７は第２実施形態の照明装置のリモートコントローラ５０を示す正面図である。説明の便宜上、前述の図６に示す第１実施形態と同一の部分は同一の符号を付している。本実施形態の照明装置１００はｘｙ色度図上で連続する第１領域Ｓ１及び第２領域Ｓ２内で照明色を可変になっている。その他の部分は第１実施形態と同様である。
【００８１】
リモートコントローラ５０には第１領域Ｓ１及び第２領域Ｓ２内の色に照明色を可変する可変キー５８（第１可変スイッチ）が設けられる。可変キー５８の操作により、第１領域Ｓ１の照明色から第２領域Ｓ２の照明色に段階的に可変して第１照明モード及び第２照明モードが行われる。尚、上記と同様に、可変キー５８上に記される「色１」、「色２」を他の名称にしてもよい。
【００８２】
また、上記と同様の十字キー５５（第２可変スイッチ）の操作によって寒色照明モードの照明色と暖色照明モードの照明色との間で段階的に照明色が可変される。
【００８３】
本実施形態によると、第１領域Ｓ１及び第２領域Ｓ２内で照明色を可変する可変キー５８（第１可変スイッチ）を設けたので、ユーザの状態及び嗜好に応じて容易に第１照明モード及び第２照明モードの照明色を可変することができる。
【００８４】
ここで、可変キー５８による照明色の可変範囲が第１領域Ｓ１及び第２領域Ｓ２の範囲に限定されている。これにより、可変操作に伴う第１領域Ｓ１または第２領域Ｓ２に含まれる照明色の範囲から外れた照明色が選択されることを防止できる。このため、第１照明モードにより期待される睡眠への効果や、第２照明モードにより期待される作業への効果を得ることができる。尚、本実施形態のように第１領域Ｓ１と第２領域Ｓ２とが連続していない場合は、第１領域Ｓ１及び第２領域Ｓ２に限定した範囲内で両者間を飛び越えて段階的に照明色を変化させても同様の効果を得ることができる。
【００８５】
次に、図８は第３実施形態の照明装置のリモートコントローラ５０を示す正面図である。説明の便宜上、前述の図６に示す第１実施形態と同一の部分は同一の符号を付している。本実施形態の照明装置１００は第１実施形態の寒色照明モード及び暖色照明モードが省かれ、第１照明モード及び第２照明モードのみを備えている。その他の部分は第１実施形態と同様である。
【００８６】
リモートコントローラ５０には十字キー５５（図６参照）が省かれ、点灯キー５３、消灯キー５４、第１照明モードキー５６及び第２照明モードキー５７が設けられる。
【００８７】
第１照明モードキー５６（第１操作スイッチ）の操作によって第１照明モードによる照明が行われる。第２照明モードキー５７（第２操作スイッチ）の操作によって第２照明モードによる照明が行われる。尚、上記と同様に、第１照明モードキー５６上に記される「色１」や第２照明モードキー５７上に記される「色２」を他の名称にしてもよい。
【００８８】
本実施形態によると、照明色の異なる第１照明モード及び第２照明モードのみを備えるので、ユーザが簡単に第１照明モードの照明色や第２照明モードの照明色を選択することができる。
【００８９】
また、第１照明モード及び第２照明モードに切り替えるスイッチを明示的に第１照明モードキー５６及び第２照明モードキー５７の２つのみとしている。そして、第１領域Ｓ１内及び第２領域Ｓ２内の各々について最も効果が大きく期待できる照明色をそれぞれ第１照明モードキー５６及び第２照明モードキー５７に初期値として設定（メモリ１２の初期値としてあらかじめ登録）する。これにより、ユーザが容易かつ迅速に好適な第１照明モードまたは第２照明モードの照明色を選択することができる。
【００９０】
また、第１照明モードキー５６及び第２照明モードキー５７について、各々の照明色により好適な明るさ（照明光の光量）を初期値として設定（メモリ１２の初期値としてあらかじめ登録）してもよい。これにより、第１照明モードまたは第２照明モード利用時の明るさについてもユーザが容易かつ迅速に選択することができる。従って、ユーザの利便性をより向上するとともに照明色による効果をより好適に得ることができる。
【００９１】
また、このようにキー操作を容易かつ迅速に行うことができることで、キー操作そのものによるわずらわしさ、ストレス感などを極力避けることができる。従って、第１照明モードにより期待される睡眠への効果や、第２照明モードにより期待される作業への効果を妨げることが無くなる。
【００９２】
尚、第２実施形態と同様に、ｘｙ色度図上で連続する第１領域Ｓ１及び第２領域Ｓ２内で照明色を可変にし、第１領域Ｓ１及び第２領域Ｓ２内の色に照明色を可変する可変キー５８（図７参照）を設けてもよい。
【００９３】
また、照明光の光量を可変的に増加・減少する可変キー（不図示）を設けてもよい。また、第１照明モードキー５６及び第２照明モードキー５７について、キーを押すごとに照明光の光量を段階的に変化（例えば光量１→光量２→光量３→光量１と循環的に変化）してもよい。また第１照明モードキー５６及び第２照明モードキー５７について、キーを押した時間に応じて照明光の光量を可変的に変化してもよい。この場合、新たにキーを設けることなく照明光の光量の増加・減少を行う機能をユーザに提供することができる。
【００９４】
第１〜第３実施形態において、他の発光色のＬＥＤ素子６によって第１照明モードや第２照明モードの照明色を調色してもよい。例えば、青色、緑色、赤色をそれぞれ発光する複数のＬＥＤ素子を設けてもよい。また、第１領域Ｓ１の色を発光するＬＥＤ素子と、第２領域Ｓ２の色を発光するＬＥＤ素子とを設けてもよい。
【００９５】
また、ＬＥＤ素子とＬＥＤ素子の出射光を異なる波長に変換する蛍光体を設けてもよい。例えば、青色を発光する複数のＬＥＤ素子と、各ＬＥＤ素子に対応して青色をそれぞれ電球色、赤色、黄色に変換する蛍光体とを設けてもよい。青色光と黄色光により白色光が形成され、上記と同様に、白色、電球色及び赤色の光により第１照明モードや第２照明モードの照明色を調光することができる。
【００９６】
また、照明装置１００によって居室内に取り付けられる照明器具を構成しているが、照明器具に取り付けられる電球等を構成する照明装置であってもよい。
【００９７】
以下に本実施形態の照明色の照明光による評価を行うために照明色を可変した実施例及び比較例について説明する。図９は図５のｘｙ色度図の拡大図を示している。以下の実施例１、２、・・の点を図中、ｐ１、ｐ２、・・で示し、比較例１、２、・・の点を図中、ｑ１、ｑ２、・・で示している。
【実施例１】
【００９８】
実施例１の照明装置１は第１領域Ｓ１の点Ａ（０．５５５，０．３９４）（図９の点ｐ１）の照明色の照明光を出射する。
【実施例２】
【００９９】
実施例２の照明装置１は第１領域Ｓ１の等色温度線Ｗ１上の点（０．５３７，０．３７３）（図９の点ｐ２）の照明色の照明光を出射する。
【実施例３】
【０１００】
実施例３の照明装置１は第１領域Ｓ１の点Ｅ（０．５１０，０．３４０）（図９の点ｐ３）の照明色の照明光を出射する。
【実施例４】
【０１０１】
実施例４の照明装置１は第１領域Ｓ１の等偏差線Ｖ１上の点（０．５１５，０．４０４）（図９の点ｐ３）の照明色の照明光を出射する。
【実施例５】
【０１０２】
実施例５の照明装置１は第１領域Ｓ１の内部の点Ｊ（０．４９９，０．３８２）（図９の点ｐ５）の照明色の照明光を出射する。
【実施例６】
【０１０３】
実施例６の照明装置１は第１領域Ｓ１の等偏差線Ｖ２上の点（０．４７３，０．３４７）（図９の点ｐ６）の照明色の照明光を出射する。
【実施例７】
【０１０４】
実施例７の照明装置１は第１領域Ｓ１の等偏差線Ｖ１上の点（０．４７１，０．４０４）（図９の点ｐ７）の照明色の照明光を出射する。
【実施例８】
【０１０５】
実施例８の照明装置１は第１領域Ｓ１の内部の点（０．４６２，０．３９０）（図９の点ｐ８）の照明色の照明光を出射する。
【実施例９】
【０１０６】
実施例９の照明装置１は第１領域Ｓ１の等偏差線Ｖ２上の点（０．４３６，０．３４７）（図９の点ｐ９）の照明色の照明光を出射する。
【実施例１０】
【０１０７】
実施例１０の照明装置１は第１領域Ｓ１と第２領域Ｓ２との境界の点Ｆ（０．４５３，０．４０１）（図９の点ｐ１０）の照明色の照明光を出射する。
【実施例１１】
【０１０８】
実施例１１の照明装置１は第１領域Ｓ１と第２領域Ｓ２との境界の等色温度線Ｗ２上の点（０．４４６，０．３８８）（図９の点ｐ１１）の照明色の照明光を出射する。
【実施例１２】
【０１０９】
実施例１２の照明装置１は第１領域Ｓ１と第２領域Ｓ２との境界の点Ｂ（０．４１９，０．３４３）（図９の点ｐ１２）の照明色の照明光を出射する。
【実施例１３】
【０１１０】
実施例１３の照明装置１は第２領域Ｓ２の等偏差線Ｖ１上の点（０．４３３，０．３９４）（図９の点ｐ１３）の照明色の照明光を出射する。
【実施例１４】
【０１１１】
実施例１４の照明装置１は第２領域Ｓ２の内部の点（０．４２２，０．３７３）（図９の点ｐ１４）の照明色の照明光を出射する。
【実施例１５】
【０１１２】
実施例１５の照明装置１は第２領域Ｓ２の等偏差線Ｖ２上の点（０．４０６，０．３３９）（図９の点ｐ１５）の照明色の照明光を出射する。
【実施例１６】
【０１１３】
実施例１６の照明装置１は第２領域Ｓ２の点Ｃ（０．４１８，０．３９０）（図９の点ｐ１６）の照明色の照明光を出射する。
【実施例１７】
【０１１４】
実施例１７の照明装置１は第２領域Ｓ２の内部の点Ｋ（０．４１６，０．３７７）（図９の点ｐ１７）の照明色の照明光を出射する。
【実施例１８】
【０１１５】
実施例１８の照明装置１は第２領域Ｓ２の等偏差線Ｖ２上の点（０．３９７，０．３３６）（図９の点ｐ１８）の照明色の照明光を出射する。
【実施例１９】
【０１１６】
実施例１９の照明装置１は第２領域Ｓ２の点Ｄ（０．３９７，０．３７０）（図９の点ｐ１９）の照明色の照明光を出射する。
【実施例２０】
【０１１７】
実施例２０の照明装置１は第２領域Ｓ２の点Ｇ（０．３８３，０．３２９）（図９の点ｐ２０）の照明色の照明光を出射する。
【０１１８】
［比較例１］
また、各実施例と比較する比較例１の照明装置１は等偏差線Ｖ１よりも黒体輻射軌跡Ｖ０に近く、等色温度線Ｗ１よりも相関色温度が低い点（０．５８６，０．３９３）（図９の点ｑ１）の照明色の照明光を出射する。
【０１１９】
［比較例２］
比較例２の照明装置１は等色温度線Ｗ１よりも相関色温度が低い等偏差線Ｖ１上の点（０．５７９，０．３８４）（図９の点ｑ２）の照明色の照明光を出射する。
【０１２０】
［比較例３］
比較例３の照明装置１は実施例２の点に対して相関色温度が低い点（０．５５８，０．３６４）（図９の点ｑ３）の照明色の照明光を出射する。
【０１２１】
［比較例４］
比較例４の照明装置１は等色温度線Ｗ１よりも相関色温度が低い等偏差線Ｖ２上の点（０．５２８，０．３３２）（図９の点ｑ４）の照明色の照明光を出射する。
【０１２２】
［比較例５］
比較例５の照明装置１は等偏差線Ｖ２よりも黒体輻射軌跡Ｖ０から離れ、等色温度線Ｗ１よりも相関色温度が低い点（０．５１６，０．３１８）（図９の点ｑ５）の照明色の照明光を出射する。
【０１２３】
［比較例６］
比較例６の照明装置１は等偏差線Ｖ１よりも黒体輻射軌跡Ｖ０に近い等色温度線Ｗ１上の点（０．５６３，０．４０４）（図９の点ｑ６）の照明色の照明光を出射する。
【０１２４】
［比較例７］
比較例７の照明装置１は等偏差線Ｖ２よりも黒体輻射軌跡Ｖ０から離れた等色温度線Ｗ１上の点（０．４９８，０．３２６）（図９の点ｑ７）の照明色の照明光を出射する。
【０１２５】
［比較例８］
比較例８の照明装置１は実施例４の点よりも黒体輻射軌跡Ｖ０に近い点（０．５５２，０．４１４）（図９の点ｑ８）の照明色の照明光を出射する。
【０１２６】
［比較例９］
比較例９の照明装置１は実施例６の点よりも黒体輻射軌跡Ｖ０から離れた点（０．４６２，０．３３１）（図９の点ｑ９）の照明色の照明光を出射する。
【０１２７】
［比較例１０］
比較例１０の照明装置１は実施例７の点よりも黒体輻射軌跡Ｖ０に近い点（０．４７７，０．４１４）（図９の点ｑ１０）の照明色の照明光を出射する。
【０１２８】
［比較例１１］
比較例１１の照明装置１は実施例９の点よりも黒体輻射軌跡Ｖ０から離れた点（０．４２９，０．３３６）（図９の点ｑ１１）の照明色の照明光を出射する。
【０１２９】
［比較例１２］
比較例１２の照明装置１は等偏差線Ｖ１よりも黒体輻射軌跡Ｖ０に近い等色温度線Ｗ２上の点（０．４５７，０．４１０）（図９の点ｑ１２）の照明色の照明光を出射する。
【０１３０】
［比較例１３］
比較例１３の照明装置１は等偏差線Ｖ２よりも黒体輻射軌跡Ｖ０から離れた等色温度線Ｗ２上の点（０．４１０，０．３２８）（図９の点ｑ１３）の照明色の照明光を出射する。
【０１３１】
［比較例１４］
比較例１４の照明装置１は実施例１３の点よりも黒体輻射軌跡Ｖ０に近い点（０．４３７，０．４０４）（図９の点ｑ１４）の照明色の照明光を出射する。
【０１３２】
［比較例１５］
比較例１５の照明装置１は実施例１５の点よりも黒体輻射軌跡Ｖ０から離れた点（０．３９８，０．３２４）（図９の点ｑ１５）の照明色の照明光を出射する。
【０１３３】
［比較例１６］
比較例１６の照明装置１は点Ｃよりも黒体輻射軌跡Ｖ０に近い点（０．４２０，０．３９８）（図９の点ｑ１６）の照明色の照明光を出射する。
【０１３４】
［比較例１７］
比較例１７の照明装置１は実施例１８の点よりも黒体輻射軌跡Ｖ０から離れた点（０．３９２，０．３２５）（図９の点ｑ１７）の照明色の照明光を出射する。
【０１３５】
［比較例１８］
比較例１８の照明装置１は等偏差線Ｖ１よりも黒体輻射軌跡Ｖ０に近い等色温度線Ｗ３上の点（０．４０５，０．３９１）（図９の点ｑ１８）の照明色の照明光を出射する。
【０１３６】
［比較例１９］
比較例１９の照明装置１は等偏差線Ｖ１と等色温度線Ｗ３との交点（０．４０２，０．３８３）（図９の点ｑ１９）の照明色の照明光を出射する。
【０１３７】
［比較例２０］
比較例２０の照明装置１は等偏差線Ｖ２よりも黒体輻射軌跡Ｖ０から離れた等色温度線Ｗ３上の点（０．３７９，０．３１９）（図９の点ｑ２０）の照明色の照明光を出射する。
【０１３８】
［比較例２１］
比較例２１の照明装置１は等偏差線Ｖ１よりも黒体輻射軌跡Ｖ０に近く、等色温度線Ｗ３よりも相関色温度が高い点（０．３９５，０．３８５）（図９の点ｑ２１）の照明色の照明光を出射する。
【０１３９】
［比較例２２］
比較例２２の照明装置１は等色温度線Ｗ３よりも相関色温度が高い等偏差線Ｖ１上の点（０．３９２，０．３７８）（図９の点ｑ２２）の照明色の照明光を出射する。
【０１４０】
［比較例２３］
比較例２３の照明装置１は点Ｄよりも相関色温度が高い点（０．３８９，０．３６７）（図９の点ｑ２３）の照明色の照明光を出射する。
【０１４１】
［比較例２４］
比較例２４の照明装置１は点Ｇよりも相関色温度が高い等偏差線Ｖ２上の点（０．３７５，０．３２５）（図９の点ｑ２４）の照明色の照明光を出射する。
【０１４２】
［比較例２５］
比較例２５の照明装置１は等偏差線Ｖ２よりも黒体輻射軌跡Ｖ０から離れ、等色温度線Ｗ３よりも相関色温度が高い点（０．３７２，０．３１５）（図９の点ｑ２５）の照明色の照明光を出射する。
【０１４３】
上記各実施例及び比較例に対して以下の実験を行った。第１の実験は健常人である２０歳以上６５歳以下の男性１６名及び女性１６名の計３２名を被験者として選定し、眠気、不快感、寛ぎ感を評価した。詳しくは、被験者を２グループに分け、同じ部屋で照明色を可変して照明光を被験者に照射した後に評価を行った。そして、同様に昼白色を照射した場合と比較した。昼白色の相関色温度は約５０００Ｋであり、色度座標は（０．３４５，０．３４２）である（図９の点ｑ０）。
【０１４４】
評価手法として感覚・感状の強度を評価する際に用いられるＶＡＳ(Visual Analogue Scale)を用いた。この評価手法は一端が最悪の感覚、他端が最良の感覚を表す一本の直線上に、被験者がその時感じた質問項目に関しての感覚・感情の強さに適応した点にしるしを付け、そのしるしの位置から一端までの長さを計測することで、主観的感覚を数値化して点数評価するものである。
【０１４５】
第２の実験は健常人である２０歳以上６５歳以下の男性１６名及び女性１６名の計３２名を被験者として選定し、睡眠の質を評価した。詳しくは、１室ごとに被験者を待機させてすべての被験者の環境状態を同じとし、就寝前１時間から就寝時まで各照明色の照明光を３５Ｗ相当（約４５ｌｘ）で照射した後の睡眠状態を測定した。そして、同様に、昼白色を３５Ｗ相当（約８５ｌｘ）で照射した場合の睡眠状態と比較した。
【０１４６】
睡眠状態の測定にはパラマウントベッド株式会社製の睡眠測定システム「眠りＳＣＡＮ（登録商標）」を用いた。睡眠測定システムをベッドの下に敷いて就寝中の各被験者の活動量を測定し、その活動量により各被験者の入眠潜時、睡眠効率及び総睡眠時間を算出した。
【０１４７】
第３の実験は健常人である２０歳以上６５歳以下の男性１６名、女性１６名の計３２名を被験者として作業能率を評価した。詳しくは、１室ごとに被験者を待機させてすべての被験者の環境状態を同じとし、作業時間の３０分間各照明色の照明光を照射した後の主観及び作業能率を評価した。尚、各照明色において８５Ｗ相当（約５００ｌｘ）及び１００Ｗ相当（約６００ｌｘ）の実験を行った。そして、各々に対し、昼白色を８５Ｗ相当（約６５０ｌｘ）で照射した場合の評価と比較した。
【０１４８】
作業に関しての主観評価として、「意欲」の質問項目を設け、３０分の作業後の主観を前述のＶＡＳにより評価した。作業負荷としては株式会社日本・精神技術研究所の「内田クレペリン検査（登録商標）」を用いた。検査内容は簡単な一桁の足し算を１分毎に行変えをしながら合計３０分間行う計算作業負荷である。また、３０分間の計算量の合計により作業能率を測定した。
【０１４９】
表１、表２は各実施例及び各比較例の第１〜第３の実験による結果を示している。結果の評価としては被験者全員の結果を統計学的に解析し、各照明色と昼白色との有意差検定を実施した。検定手法としてｔ検定を用い、有意水準を５％として「向上」または「劣化」と評価した。また、有意確率１０％未満については差のある「向上傾向」または「劣化傾向」と評価した。
【０１５０】
【表１】
0006017797.tif 000002
【０１５１】
【表２】
0006017797.tif 000003
【０１５２】
第１の実験及び第２の実験の結果によると、第１領域Ｓ１の照明色の場合は昼白色に比して眠気や寛ぎ感が向上し、入眠潜時が向上する（短縮する）とともに睡眠効率及び睡眠時間が向上もしくは向上傾向となる。第１領域Ｓ１の範囲外の照明色の場合は昼白色に比して眠気、入眠潜時、睡眠効率及び睡眠時間が同等である。また、黒体輻射軌跡Ｖ０に対する偏差が大きくなると（比較例５、７、９、１３、１５）、昼白色に比して不快感が劣化傾向になった。また、黒体輻射軌跡Ｖ０に対する偏差が小さくなると（比較例６、８、１２、１４）、昼白色に比して寛ぎ感が向上傾向となるが、眠気や睡眠効率は同等である。
【０１５３】
従って、就寝前に第１領域Ｓ１の照明色による照明を行うことにより、就寝時の入眠潜時が短縮するとともに睡眠効率を向上することが期待できる。特に実施例５によると、入眠潜時、睡眠効率、睡眠時間に有意な向上が見られ、睡眠効率の向上が大いに期待できる。また、休憩時や団欒時に第１領域Ｓ１の照明色による照明を行うことにより、不快感がなく寛ぎをもたらすことができる。
【０１５４】
第３の実験の結果によると、第２領域Ｓ２の照明色の場合は８５Ｗ相当、すなわち昼白色と光源からの光エネルギー出力が同等の場合では意欲や作業能率が昼白色と同等である。第２領域Ｓ２の照明色が１００Ｗ相当、すなわち昼白色と机上の照度が同等の場合では意欲や作業能率が昼白色に比して向上もしくは向上傾向となる。
【０１５５】
第２領域Ｓ２の範囲外の照明色の場合は８５Ｗ相当及び１００Ｗ相当において意欲や作業能率が昼白色に比して向上しない。一般的に、作業時における照明条件の設定は、光源からの光エネルギー出力よりも机上照度の方を基準とされる（例えばJIS-Z-8516を参照）。これを考慮すると、作業時に第２領域Ｓ２の照明色による照明を行うことにより、作業に対する意欲を向上して作業能率を向上することが期待できる。
【０１５６】
特に実施例１７によると作業能率に有意な向上が見られることから、作業能率を向上することが大いに期待できる。尚、意欲の主観については、疲労が高まるのに伴い意欲が低下することが一般的に知られている。このため、今回の実験における意欲の向上は作業負荷による交感神経系の昂進を抑制して作業時の疲労感が低減されたことによるものと考えられる。
【０１５７】
ここで、「Journal of the OPTICAL SOCIETY of AMERCA (Volume 32, NUMBER 5)」（１９４２年５月発行）掲載の、DAVID L. MACADAMによる論文「Visual Sensitivities to Color Differenced in Daylight」中において、視覚の等色実験から導き出された色度図上のある一点を選んだ時にその色と区別できない範囲が発表されている。この範囲は特定の中心色に対する識別変動の標準偏差をｘｙ色度図に表わすと楕円となることが発表され、マクアダム楕円１−Ｓｔｅｐとも呼ばれている。
【０１５８】
マクアダム楕円１−Ｓｔｅｐに対して、工業的には、ＩＥＣ（国際電機標準会議）の５−Ｓｔｅｐや、ＡＮＳＩ（米国標準協会）の７−Ｓｔｅｐが規格として「等色」として認められ、商品とすることが許されている。マクアダム楕円５−Ｓｔｅｐはその楕円の短辺および長辺それぞれの長さが、マクアダム楕円１−Ｓｔｅｐにおけるそれぞれに対して５倍となる関係を有している。
【０１５９】
尚、「ＩＥＣの５−Ｓｔｅｐ」のマクアダムについては、ウェブサイト（http://www.lrc.rpi.edu/programs/nlpip/lightinganswers/lightsources/whatisColorConsistency.asp）の中盤に、「The  International  Electrotechnical  Commission(IEC)  standard  (IEC  2002)  specifies  six,  5-step  MacAdam  ellipses  as  color  consistency  criteria  for  double-capped  fluorescent  lamps.」とあり、国際電気標準会議（ＩＥＣ）標準（ＩＥＣ  ２００２）で認められていることが記載されている。
【０１６０】
また、「ＡＮＳＩの７−Ｓｔｅｐ」マクアダムについては、米国標準協会による「ANSI_NEMA_ANSLG C78.377-2008」（American National Standard for electric lamps-Specifications for the Chromaticity of Solid State Lighting Products）の１４ページに表わされたＳＳＬ製品の仕様のグラフ図である図Ａ１で示されている。
【０１６１】
このため、第１領域Ｓ１の照明色を図５の点Ｊ（０．４９９，０．３８２）（図９の点ｐ５）を中心とするマクアダム楕円５−ｓｔｅｐで表される等色範囲Ｓ１０（図５参照）の属する色にしてもよい。また、点Ｊを中心とするマクアダム楕円１−ｓｔｅｐで表される等色範囲の属する色にしてもよい。
【０１６２】
また、第２領域Ｓ２の照明色を図５の点Ｋ（０．４１６，０．３７７）（図９の点ｐ１７）を中心とするマクアダム楕円５−ｓｔｅｐで表される等色範囲Ｓ２０（図５参照）の属する色にしてもよい。また、点Ｋを中心とするマクアダム楕円１−ｓｔｅｐで表される等色範囲の属する色にしてもよい。
【産業上の利用可能性】
【０１６３】
本発明によると、居室内を照明する照明器具や電球等の照明装置に利用することができる。
【符号の説明】
【０１６４】
１    本体
２    光源基板
３    反射板
４    フレーム
５    照明制御部
６ａ  白色ＬＥＤ素子
６ｂ  電球色ＬＥＤ素子
６ｃ  赤色ＬＥＤ素子
５０    リモートコントローラ
５１    表示部
５２    操作部
５３    点灯キー
５４    消灯キー
５５    十字キー
５６    第１照明モードキー
５７    第２照明モードキー
５８    可変キー
１００    照明装置
【図１】
0006017797.tif 000004
【図２】
0006017797.tif 000005
【図３】
0006017797.tif 000006
【図４】
0006017797.tif 000007
【図５】
0006017797.tif 000008
【図６】
0006017797.tif 000009
【図７】
0006017797.tif 000010
【図８】
0006017797.tif 000011
【図９】
0006017797.tif 000012